(57)【要約】      （修正有）【課題】ブロック玩具のブロックとブロック間の堅固な結合のための装置を提供する。【解決手段】ブロック玩具のブロックとブロック間の堅固な結合のための装置１は、本体部１０とフック部２０で構成される。本体部１０は、正方形で中央部分が開口され、一定の幅の周りを有する形状をなし、４つの外側面の角部は、外側に向かって突出されながら、内側にラウンドされるようになっている。フック部２０は、突起溝１１が形成されていない本体部１０の２つの上面に一定の幅を持って上に盛り上がる形状で本体部１０の外側に向かって設けられている。【選択図】図１
0003200642.tif 000002
【実用新案登録請求の範囲】
【請求項１】
本体部１０とフック部２０で構成され、
前記本体部１０は、正方形で中央部分が開口され、一定の幅の周りを有する形状で設けられ、４つの外側面の角部は、外側に向かって突出しながら、内側にラウンドされるように設けられ、
前記本体部１０の対向する２つの内側面には、一定の間隔で離隔して対称に突起溝１１が２つずつ形成されて、突起溝１１内に外側に突出した段差を有する突起１２が形成され、前記本体部１０の内側面には、正方形の図形ブロック１３が収容されるフランジ１４が形成され、
前記フック部２０は、前記突起溝１１が形成されていない本体部１０の２つの上面に、一定の幅で上に盛り上がる形状で本体部１０の外側に設けられ、
前記フック部２０が形成される本体部１０の１つの上面には、１つのフック部２０が形成され、前記フック部２０が形成される本体部１０の他の１つの上面には、１つのフック部２０の幅だけ離隔して対称に２つのフック部２０が形成され、
前記フック部２０の一端は、本体部１０の上面に接続され、他端は本体部１０の下面に対応する深さまで延伸され、内側に凹むように形成されることを特徴とするブロック玩具のブロックとブロック間の堅固な結合のための装置。
【請求項２】
前記フック部２０が本体部１０の上面と触れ合う部分において、本体部１０の上面に垂直に支持片２１が形成されることを特徴とする請求項１に記載のブロック玩具のブロックとブロック間の堅固な結合のための装置。
【考案の詳細な説明】
【技術分野】
【０００１】
本考案は、ブロック玩具のブロックとブロック間の堅固な結合のための装置に関するもので、より詳細には、本体部とフック部で構成されるブロック玩具のブロックとブロック間の堅固な結合のための装置に関するものである。
【背景技術】
【０００２】
一般的に、子供たちが楽しんで使う玩具のうち完成品で作られたのは、子供たちの創造力を開発させることができないという欠点があるが、近頃には、子供たちが玩具を直接に組み立て、分解する過程を通じて創造性を向上させ、知能発達を助けることができる様々なブロック玩具が開発されて市販されている。
【０００３】
ブロック玩具には、各ブロックに形成された突起と溝を互いに噛み合う結合構造を有する組立式ブロック玩具が市販されているが、組立時各ブロックの突起と溝の位置を１つずつ一致させて力を与えて噛み合わなければならないし、一度組み立てられると、他の立体形状を作るために、各ブロックを分解しにくい不便さがある。
【０００４】
一方、ブロック内に磁石を装着して、各ブロックを互いに近く持って行くだけで、磁力によってブロック間の簡単な接合が行われるようにする磁石が内蔵されているブロック玩具も市販されているが、磁石が内蔵されているブロック玩具は、磁石を利用することにより、便利にブロックを互いに接合させることができ、組立後の分解もやすいという利点はあるが、各ブロック間の接合が堅固でなく、立体形状に組み立てられた後に、少しの衝撃だけで、その形状が崩れることになる欠点がある。
【０００５】
ブロック玩具は、複数のブロックを結合して造形物を組み立てる形態から、より発展してバッテリーが挿入されてパワーを提供するパワーブロック、パワーブロックに結合され、ギア部が内蔵されて回転運動をするエンジンブロック、エンジンブロックに結合され、ギア部が内蔵されて回転運動、歩行運動、ピストン運動、スライド運動などの動作が可能な動作ブロックなどが設けられて、エンジンブロックに動作ブロックが結合されて、ブロック玩具全体が完成されると、回転運動、歩行運動、ピストン運動、スライド運動などの動作が可能なブロック玩具セットが市販されており、エンジンブロックと動作ブロックの結合がエンジンブロックの溝型ギア接続部と動作ブロックの突出型ギア接続部との結合によって行われるが、各ギア接続部を囲む中空の円筒形の周りに鋸歯構造が形成されて、２つの鋸歯構造が噛み合うようになっているが、パワーを出すエンジンブロックと、これに結合されて作動する動作ブロックの結合が堅くないという問題がある。
【０００６】
前述のように、様々なブロック玩具が開発されているが、ブロック玩具のブロックとブロック間の結合は、全体的に堅くないという問題がある。
【先行技術文献】
【特許文献】
【０００７】
【特許文献１】実用新案公開第２０−１９９８−０６３８２８号
【特許文献２】実用新案登録第４０１６８４号
【特許文献３】特許登録第１１４０３２６号
【考案の概要】
【考案が解決しようとする課題】
【０００８】
本考案は、前記のように、ブロック玩具のブロックとブロック間の結合が堅くないという問題を解決するために提案されたもので、ブロック玩具のブロックとブロック間の堅固な結合のための装置を提供することを目的とする。
【課題を解決するための手段】
【０００９】
本考案によるブロック玩具のブロックとブロック間の堅固な結合のための装置は、本体部１０とフック部２０で構成され、前記本体部１０は、正方形で中央部分が開口され、一定の幅の周りを有する形状をなし、４つの外側面の角部は、外側に向かって突出しながら、内側にラウンドされるように設けられ、前記本体部１０の対向する２つの内側面には、一定の間隔で離隔して対称に突起溝１１が２つずつ形成されて、突起溝１１内に外側に突出した段差を有する突起１２が形成され、前記本体部１０の内側面には、正方形の図形ブロック１３が収容されるフランジ１４が形成され、前記フック部２０は、前記突起溝１１が形成されていない本体部１０の２つの上面に、一定の幅で上に盛り上がる形状で本体部１０の外側に設けられ、前記フック部２０が形成される本体部１０の１つの上面には、１つのフック部２０が形成され、前記フック部２０が形成される本体部１０の他の１つの上面には、１つのフック部２０の幅だけ離隔して対称に２つのフック部２０が形成され、前記フック部２０の一端は、本体部１０の上面に接続され、他端は本体部１０の下面に対応する深さまで延伸され、内側に凹むように形成されることを特徴とすることができる。
【００１０】
また、前記フック部２０が本体部１０の上面と触れ合う部分において、本体部１０の上面に垂直に支持片２１が２つずつ形成されることを特徴とすることができる。
【考案の効果】
【００１１】
本考案によれば、ブロック玩具のブロックとブロック間の結合を堅固にする効果がある。
【００１２】
また、ブロック玩具のブロックとブロック間の結合が堅くなるにつれて、ブロック玩具を用いて作る造形物を堅固にすることができる効果がある。
【図面の簡単な説明】
【００１３】
【図１】本考案の装置の斜視図
【図２】本考案の装置に図形ブロックおよび磁石バー挟まれて動作が可能なブロック玩具のエンジンブロックの下部に挿入されることを示す図
【図３】本考案の装置に磁気バー挟まれて４つの面に結合されることを示す図
【考案を実施するための最良の形態】
【００１４】
以下、本考案の実施例について添付した図面を参考にして詳細に説明する。
【００１５】
図１に示すように、本考案のブロック玩具のブロックとブロック間の堅固な結合のための装置１は、本体部１０とフック部２０で構成される。
【００１６】
前記本体部１０は、正方形で中央部分が開口され、一定の幅の周りを有する形状をなし、４つの外側面の角部は、外側に向かって突出されながら、内側にラウンドされるようになっている。
【００１７】
前記本体部１０の対向する２つの内側面には、一定の間隔を離隔して対称に突起溝１１が２つずつ形成され、突起溝１１の内に外側に突出した段差を有する突起１２が形成され、前記本体部１０の内側面の下面には、正方形の図形ブロック１３が収容されるフランジ１４が形成される。
【００１８】
前記フック部２０は、前記突起溝１１が形成されていない本体部１０の２つの上面に一定の幅を持って上に盛り上がる形状で本体部１０の外側に向かって設けられている。
【００１９】
前記フック部２０が形成される本体部１０の１つの上面には、１つのフック部２０が形成され、前記フック部２０が形成される本体部１０の他の１つの上面には、１つのフック部２０の幅だけ離隔して対称に２個のフック部２０が形成される。
【００２０】
前記フック部２０の一端は、本体部１０の上面に接続され、他端は本体部１０の下面に対応する深さまで延伸されながら、内側に凹むように形成され、前記フック部２０が本体部１０の上面と触り合う部分には、本体部１０の上面に垂直に支持片２１が２つずつ形成される。
【００２１】
前記フック部２０には、円柱状で両端部に磁石が一体に挿入して形成される磁気バー３０が収容される。前記磁石バー３０の周りには、子供たちが手で握るとき、滑らずによく握られることができるように長さ方向の溝が一定の間隔で形成される。
【００２２】
前記磁気バー３０の端部には、磁石につく金属材の球形ボール４０が付着して連結されることができる。前記磁石バー３０が球形ボール４０と対向になる両端部の表面は、互いに触れ合う場合の支持力を向上させることができるよう鋸歯構造で形成される。
【００２３】
図２に示すように、本考案の装置１の本体部１０の内部に図形ブロック１３を挿入すると、図形ブロック１３が本体部１０の突起１２に弾力的に挟まられる。
【００２４】
本考案の装置１のフック部２０に磁石バー３０を挿入して重量を加えた後、動作可能なブロック玩具のエンジンブロックと動作ブロックとの間に挿入すると、エンジンブロックと動作ブロックがしっかり結合される。
【００２５】
図３に示すように、２つの本考案の装置１が重なって１つの本考案の装置１の１つのフック部２０が他の１つの本考案の装置１の２つのフック部２０の間に挟まれて、２つの本考案の装置１の３つのフック部２０が一列に重なった中心に磁石バー３０が挟み込むと、２つの本考案の装置１は、しっかり結合される。
【００２６】
前記のような形態で、４つの本考案の装置１を４つの面になるように結合し、４つの本考案の装置１を結合する磁石バー３０の端部に球形ボール４０を載せて、その上に他の４つの本考案の装置１を結合した磁気バー３０を載せる形態で連続的に４つの本考案の装置１をしっかり結合することができる。
【００２７】
前記本体部１０の４つの外側面の角部は、外側に向かって突出されながら、内側にラウンディングされるように設けられて、磁石バー３０の端部に球形ボール４０が置かれても、本考案の装置１の角部と干渉が起こらない。
【００２８】
前述したように、本考案によれば、ブロック玩具のブロックとブロック間の結合を堅固にし、ブロック玩具のブロックとブロック間の結合が堅くなるにつれて、ブロック玩具を用いて作る造形物を堅固にすることができる効果がある。
【符号の説明】
【００２９】
１：本考案のブロック玩具のブロックとブロック間の堅固な結合のための装置
１０：本体部
１１：突起溝
１２：突起
１３：図形ブロック
１４：フランジ
２０：フック部
２１：支持片
３０：磁石バー
４０：球形ボール
【図１】
0003200642.tif 000003
【図２】
0003200642.tif 000004
【図３】
0003200642.tif 000005